(57)【要約】【課題】警棒の径方向にカメラレンズが組み込まれているため、警棒を犯人側に向けた際、カメラレンズが違う方向に向いてしまい、犯人を撮影することができない。【解決する手段】所定大きさの警棒本体１と、該警棒本体１に設けられたカメラ部２とを備える。握柄部１ｂには、記録媒体、バッテリー、メイン基板等の主要構成要素を内装すると共に、シャッターボタン５を外設してなり、鞘部１ｃには打撃棒１ａの先端方向に向けてカメラレンズ２ｄを組み付ける。カメラ部２は、記録媒体、ＬＣＤコントローラ、バッテリー、カメラレンズ、カメラの集積回路等のメイン基板とを備える。握柄部１ｂの遊端には、記録媒体を出し入れするためのディスクドライブ（図示せず）が形成されており、不使用時はロック手段を介してロックキャップで施錠されている。【選択図】図３
2008304173.tif 000002
【特許請求の範囲】
【請求項１】
所定大きさの警棒本体と、該警棒本体に設けられたカメラとを備えてなるカメラ付き警棒において、前記警棒本体は、伸縮自在な打撃棒と、該打撃棒の基端に連設された握柄部と、該握柄部若しくは前記警棒本体に突設された鍔部とを備え、前記握柄部及び／又は鍔部にカメラの集積回路基板、記録媒体、バッテリー等の要部を内装すると共に、シャッターボタンを外設してなり、かつ、前記鍔部及び／又は握柄部に打撃棒の先端方向に向けてカメラレンズを仕込んだことを特徴とするカメラ付き警棒。
【請求項２】
前記カメラは、静止画、動画、音声等の撮像データをデジタルデータとして保存するデジタルカメラであることを特徴とする請求項１に記載のカメラ付き警棒。
【請求項３】
前記カメラは、撮像するための光学情報を取り込むカメラレンズと、該カメラレンズを透した撮像データをデジタルデータとして記録する記録媒体と、電力を供給するバッテリーと、フィルム若しくはＣＣＤに光が当たる時間を調整するためのシャッターボタンと、赤外光を照射して暗視を行なう暗視レンズ及び／又はストロボとを備えてなることを特徴とする請求項１又は２に記載のカメラ付き警棒。
【請求項４】
前記記録媒体は、ロック手段及び／又は防水処理を介して警棒本体内に管理・保持されていることを特徴とする請求項３に記載のカメラ付き警棒。
【請求項５】
前記警棒本体は、少なくとも記録媒体の所在を知らせる発信手段及び／又は電波でカメラの映像を関係各所に送信するための送信手段が内蔵されていることを特徴とする請求項１又は４に記載のカメラ付き警棒。
【発明の詳細な説明】
【技術分野】
【０００１】  本発明は、警棒の改良に係り、更に詳しくは、犯人に警棒を向けただけで瞬時に犯人等を撮影することができるカメラ付き警棒に関する。
【背景技術】
【０００２】  一般的に、警官やガードマンは、警棒を常時携帯しているが、犯行時に写真を撮るには、一定の場所に保管されているカメラを持ち出して来て、撮影する必要があり、緊急時には間に合わない。犯行時に写真が撮れれば、犯人や犯行の決定的な証拠となるので、犯人を逮捕し易くなり、また、結果的に犯罪を予防することにもなる。しかし、前述のようにカメラは常時携帯していないので、突発的に起こる犯行時に撮影を行うことは不可能である。【０００３】  従来、斯かる問題点を解決すべく警棒にカメラを内蔵し、警棒の外周にレンズ部と、シャッター用操作部とを備え、シャッター用操作部が警棒の把持部近傍に配置されてなるカメラ付き警棒が発案されている（特許文献１参照）。
【特許文献１】特開平７−１５１４９６号公報
【発明の開示】
【発明が解決しようとする課題】
【０００４】  しかしながら、上述した従来のカメラ付き警棒では、警棒にカメラを組み込んでいるため、必要時に直ちに写真を撮影できるといった利点を有するものの、警棒の径方向にカメラレンズが組み込まれているため、警棒を犯人側に向けた際、カメラレンズが違う方向に向いてしまい、犯人を撮影することができないといった問題がある。【０００５】  特に、近年増加しているパトロール最中に警察官に抵抗するケース、警察官の拳銃狙いの犯罪、ポリスボックスへの襲撃等、予期しない咄嗟的な犯罪が多発している。また、通り魔的な犯行に捜査が難航している現状があり、まして、警察官の拳銃が持ち去られたとなると一般市民への二次犯罪が発生する可能性が十分に起こり得る状況となる。【０００６】  そこで、暴漢による咄嗟的な行動に素早く対抗する警棒としての武器、護身用具として使用しながら、犯行現場の一部始終を画像で記録できるものが要望されており、誰が、何時に、何処で実行されたのか等の情報が早急に解明される必要性に迫られている現状がある。【０００７】  本発明は、このような従来の問題点及び要望に鑑みてなされたもので、犯人に警棒を向けただけで瞬時に犯人等を撮影することができ、延いては、その一連の犯行・事件を動画としても録画することができる有用なカメラ付き警棒の提供を目的としたものである。
【課題を解決するための手段】
【０００８】  上述の如き従来の問題点を解決し、所期の目的を達成するため本発明の要旨とする構成は、所定大きさの警棒本体と、該警棒本体に設けられたカメラとを備えてなるカメラ付き警棒において、前記警棒本体は、伸縮自在な打撃棒と、該打撃棒の基端に連設された握柄部と、該握柄部若しくは前記警棒本体に突設された鍔部とを備え、前記握柄部及び／又は鍔部にカメラの集積回路基板、記録媒体、バッテリー等の要部を内装すると共に、シャッターボタンを外設してなり、かつ、前記鍔部及び／又は握柄部に打撃棒の先端方向に向けてカメラレンズを仕込んでなるカメラ付き警棒に存する。【０００９】  前記カメラは、静止画、動画、音声等の撮像データをデジタルデータとして保存するデジタルカメラであるのが良い。【００１０】  前記カメラは、撮像するための光学情報を取り込むカメラレンズと、該カメラレンズを透した撮像データをデジタルデータとして記録する記録媒体と、電力を供給するバッテリーと、フィルム若しくはＣＣＤに光が当たる時間を調整するためのシャッターボタンと、赤外光を照射して暗視を行なう暗視レンズ及び／又はストロボとを備えるのが良い。【００１１】  前記記録媒体は、ロック手段及び／又は防水処理を介して警棒本体内に管理・保持されるのが良い。【００１２】  前記警棒本体は、少なくとも記録媒体の所在を知らせる発信手段及び／又は電波でカメラの映像を警視庁、警察署、交番等の関係各所に送信するための送信手段が内蔵されているのが良い。
【発明の効果】
【００１３】  本発明は上述のように構成され、所定大きさの警棒本体と、該警棒本体に設けられたカメラとを備えてなるカメラ付き警棒において、前記警棒本体は、伸縮自在な打撃棒と、該打撃棒の基端に連設された握柄部と、該握柄部若しくは前記警棒本体に突設された鍔部とを備え、前記握柄部及び／又は鍔部にカメラの集積回路基板、記録媒体、バッテリー等の要部を内装すると共に、シャッターボタンを外設してなり、かつ、前記鍔部及び／又は握柄部に打撃棒の先端方向に向けてカメラレンズを仕込んだことによって、警棒を犯人側に向けるだけで、瞬時に犯人を撮影することができるため、従来の如く警棒を持ち変えること必要がないといった効果を奏するもので、重要・重大な事件等にあってシャッターチャンスを逃がしてしまうといった危惧をも一掃することができる。【００１４】  特に、暴漢による咄嗟的な行動に素早く対抗する警棒としての武器、護身用具として使用しながら、犯行現場の一部始終を画像で記録でき、犯人の顔、衣服、凶器等の全ての犯行記録を保存できるといった効果を奏するのである。【００１５】  また、前記カメラは、静止画、動画、音声等の撮像データをデジタルデータとして保存するデジタルカメラであることによって、画像が鮮明である他、経年変化にも強いため、実証検分に役立つ他、事件等の証拠能力としての価値を高めることができる。特に、記録された画像は、警察関係各位にあって即ネットで配信できＰＣ携帯端末等のプラットホームを介して迅速かつリアルタイムに緊急手配ができるといった効果を奏する。【００１６】  更に、前記カメラは、撮像するための光学情報を取り込むカメラレンズと、該カメラレンズを透した撮像データをデジタルデータとして記録する記録媒体と、電力を供給するバッテリーと、フィルム若しくはＣＣＤに光が当たる時間を調整するためのシャッターボタンと、赤外光を照射して暗視を行なう暗視レンズ及び／又はストロボとを備えることによって、仮令、暗闇であっても、犯人等を撮影することができるといった効果を奏する。【００１７】  また、前記記録媒体は、ロック手段及び／又は防水処理を介して警棒本体内に管理・保持されることによって、意に反して犯人や関係者以外が警棒本体から記録媒体を抜き取ることを防止できるといった効果を奏する。【００１８】  更に、前記警棒本体は、少なくとも記録媒体の所在を知らせる発信手段及び／又は電波でカメラの映像を関係各所に送信するための送信手段が内蔵されていることによって、仮令、警棒が盗まれた場合であっても、記録媒体を追跡することができると共に、送信手段にてリアルタイムな犯行現場の状況を映像で関係各所に報知することができるため、出動、緊急配備、交通規制等の所期行動を正確に行うことができるといった効果を奏する。
【発明を実施するための最良の形態】
【００１９】  前記警棒本体は、伸縮自在な打撃棒と、該打撃棒の基端に連設された握柄部と、該握柄部に突設された鍔部とを備え、前記握柄部にカメラの集積回路基板、記録媒体、バッテリー等の要部を内装すると共に、シャッターボタンを外設してなり、かつ、前記鍔部には、打撃棒の先端方向に向けてカメラレンズを仕込んであるのが良い。
【実施例１】
【００２０】  次に、本発明に係るカメラ付き警棒の実施の一例を図面を参照しながら説明する。図中Ａは、本発明に係るカメラ付き警棒であり、この警棒Ａは、図１に示すように、所定大きさの警棒本体１と、該警棒本体１に設けられたカメラ部２（図５参照）とを備えている。【００２１】  警棒本体１は、４１４０鋼製スチール、４１３５カーボンスチール等の硬質軽金属からなる伸縮自在な打撃棒１ａと、該打撃棒１ａの基端に連設された耐衝撃性の握柄部１ｂと、該握柄部１ｂに突設された鍔部１ｃとを備えている。【００２２】  また、握柄部１ｂは、後述する記録媒体２ａ、バッテリー２ｃ、メイン基板２ｅ等の主要構成要素を内装すると共に、シャッターボタン５を外設してなり、かつ、前記鍔部１ｃに、打撃棒１ａの先端方向に向けてカメラレンズ２ｄが仕込まれている。【００２３】  因に、鍔部１ｃとは、警棒本体１の表面から突出している全ての形状、例えば、警棒本体１の全周面に突出しているもの、局部的に突出しているものを問わず、カメラ部２が仕込める全ての形状、構造、空間を包摂するものである。【００２４】  一方、カメラ部２は、握柄部１ｂ内に耐衝撃性素材（図示せず）を介して格納されているものであり、記録媒体２ａ、ＬＣＤコントローラ２ｂ、バッテリー２ｃ、カメラレンズ２ｄ、カメラの集積回路等のメイン基板２ｅとを備えている（図５参照）。【００２５】  記録媒体２ａは、ハードディスクドライブ（ＨＤＤ）及び／又はメモリカード（例えば、４ＧＢのｍｉｎｉＳＤカード）等と、該記録媒体２ａを制御するメモリーコントローラからなり、デジタルカメラで撮影した静止画、動画、音声を記録する記録用のドラム２ａ１やディスクカード等のメモリーメディア２ａ２を備えており、セキュリティーキー等のロック手段６及び／又は防水処理を介して警棒本体１内に管理・保持されている。【００２６】  すなわち、握柄部１ｂの遊端には、記録媒体２ａを出し入れするためのディスクドライブ（図示せず）が形成されており、不使用時はロック手段６を介してロックキャップ１ｂ１で施錠されている。【００２７】  因に、ディスクドライブの形態としては、トレイ方式、キャディ方式、スロットイン方式などが知られているが、使い勝手の点からは、スロットイン方式が望ましい。この方式は、差し込むと自動的にディスクを読み込んでくれるもので、ディスクを載せる特別のキャディなどは必要としない。【００２８】  また、記録媒体２ａの記録方式としては、磁気的な記録方式、光学的な記録方式或いはその他の様々な方式を取ることができる。例えば、磁気的な記録方式を用いるメモリーメディア２ａ２としては、フロッピー（登録商標）ディスクとそれを大容量化したディスク技術、リムーバルハードディスク技術が挙げられる。
また、光学的な記録方式としては、ＣＤ−ＲＷ、ＰＤ、ＤＶＤ等のコンパクトディスクが挙げられ、その他、光磁気ディスクがある。【００２９】  ＬＣＤコントローラ２ｂは、例えば、液晶表示部であり、カメラレンズ２ｄでとらえた被写体や、操作に必要な情報などが表示される。表示部としては、液晶に限らないが、低電力で小型化できるものであれば如何なるものを使用しても良い。【００３０】  更に、バッテリー２ｃは、電力を供給する電池であり、例えば、乾電池、リチウムイオン電池、蓄電池、太陽電池が挙げられ、できるだけコストパーフォマンスが良くて長く撮影できるものが望ましい。【００３１】  また、ＣＣＤカメラレンズ２ｄとしては、例えば、広角レンズ、望遠レンズ、暗視レンズ、赤外線レンズなどが挙げられ、使用場所や用途に応じて使い分けされ、２ｍ若しくは５ｍ以内で自動照準できるようになっている。【００３２】  因に、レンズの焦点距離ｆは、凸レンズの光軸に平行光線を当てた時、光線がレンズを通過後、光軸の１点を通る所が焦点であり、レンズの中心からその焦点までの距離をいうものであって、この数値が小ければ広角になり、逆に数値が大きければ望遠になることは云うまでもない。【００３３】  更に、メイン基板２ｅは、カメラ自体の制御、演算を司る様々な回路が集積回路（マイクロプロセッサー：ＭＰＵ）として搭載されおり、後述するようにイメージセンサー、画素数、水平画像度、最低照度、ＡＧＣ等を自動制御している。【００３４】  イメージセンサーは、主にＣＣＤやＣＭＯＳ等の撮像素子であり、ＣＣＤやＣＭＯＳには１／２ＣＣＤや１／３ＣＭＯＳ等と表記し、イメージセンサーのサイズを表している。【００３５】  更に、カメラ部２の画素数は、イメージセンサーの画素数であり、この数値が大きければ画質が良いことになるが、画素数が少なくても、映像を処理する基板等の性能が高ければ画質は良くなることは云うまでもない。【００３６】  また、水平解像度は、カメラやモニターで、水平方向がどれくらいきめ細かく再現できるかを表すもので、アナログ方法のテレビ放送の解像度が約３５０本ぐらいであるため、それ以上の解像度があれば画質はかなり良いことになる。【００３７】  更に、最低照度は、カメラがどのくらいの暗い場所で映像を映せるかの大まかな目安になるもので、この数値が低ければ低いほどカメラは暗い場所に強いといううことになる。但し、映像を良好に映し出せるにはこの最低照度の２、３倍の照度が必要となる。【００３８】  また、ＣＤＳは、受ける光に量によって内部の電気抵抗が変わる光導電素子であり、カドミウム（Ｃｄ）とイオウ（Ｓ）の化合物からできており、カメラの露出計として使用されている。【００３９】  また、ＡＧＣ（Ａｕｔｏｍａｔｉｃ  Ｇａｉｎ  Ｃｏｎｔｒｏｌ）２ｇは、電子回路の一種で、入力信号のレベルの大小にかかわらず出力を常に一定に保つための補助回路であり、ある一定のレベルを越えた強いレベルの信号が入ってきた時、ゲイン（フィルムの感度と同じ意）を制御して信号飽和を防ぐもので、弱い信号の場合は、ある一定のレベルまで上げてその一定のレベルを保つことができる（自動利得調整）。【００４０】  更に、ＪＰＥＧ（Ｊｏｉｎｔ  Ｐｈｏｔｏｇｒａｐｈｉｃ  Ｅｘｐｅｒｔｓ  Ｇｒｏｕｐ）２ｈは、静止画像データの圧縮方式の一つであり、圧縮の際に、若干の画質劣化を許容する（一部のデータを切り捨てる）方式と、まったく劣化のない方式を選ぶことができ、許容する場合はどの程度劣化させるかを指定することができる。【００４１】  シャッターボタン５は、撮像素子に対して撮影時のみ光があたるべく撮影時以外に光を遮断し若しくはフィルム，ＣＣＤなどの記録媒体２ａに露光する時間を制御するものである。因に、シャッタースピードの数値の幅が広ければ、暗いところから明るいところまで幅広く対応できるため、シャッタースピードを任意で切替えられるようにしても良い。【００４２】  更に、静止画のみならず動画や音声も記録できるようにビデオドライバー２ｆを備えると共に、図６に示すように、記録媒体１ａの所在を知らせる自動発信器７が仕込まれている。尚、図中３はスピーカー、４はマイクである。【００４３】  このように構成される本発明のカメラ付き警棒は、犯人側に警棒を向けるだけで鍔部１ｃに仕込まれたカメラレンズ２ｄで捉えることができると共に、警棒本体１ａを握る手指でシャッターボタン５を押すだけで、犯人に気づかれることなく簡単に撮影することができる。また、動画への切り替えも簡単にできるなど、一連の犯罪行為を撮影できるため、犯人や犯行の決定的な証拠となる分、犯人を逮捕し易くなり、また、結果的に犯罪を予防することにもなる。【００４４】  尚、本発明のカメラ付き警棒は、本実施例に限定されることなく、本発明の目的の範囲内で自由に設計変更し得るものであり、本発明はそれらの全てを包摂するものである。【００４５】  例えば、本実施例では、警棒本体１ａ内に記録媒体２ａ、バッテリー２ｃ、メイン基板２ｅ等の主要構成部分を内装しているが、これに限定されることなく、例えば、図６乃至図１２に示すように、鍔部１ｃ内にカメラレンズ２ｄと一体的に格納しても良いものであり、また、撮影の際、明るさが足りないときには、自動的にストロボが焚かれることは云うまでもなく、また、カメラレンズ２ｄの耐久性及び耐衝撃性が確保されれば、警棒本体１ａの先端側に同レンズ２ｄを仕込んでも良い。【００４６】  その他、本発明のカメラ付き警棒には、電波でカメラの映像を警視庁、警察署、交番等の関係各所に送信するための送信手段を付加させても良い。送信手段に使用する電波には主として１．２ＧＨｚ帯、２．４ＧＨｚ帯、ＵＨＦ帯の周波数を使用しているが、警察用の特定周波数を介して送信されるのが望まれる。【００４７】  因に、一番電波の到達距離が長いのが１．２ＧＨｚ帯を使ったもので、次に２．４ＧＨｚ帯、ＵＨＦ帯となり、また、映像を電波で飛ばす以外のものとして、送信機と受信機をレーザーで結ぶ方法を採用しても良い。
【図面の簡単な説明】
【００４８】
【図１】本発明に係るカメラ付き警棒の第１実施例を示す説明図である。
【図２】同カメラ付き警棒を縮めた状態を示す説明図である。
【図３】同カメラ付き警棒を縮めた状態を示す説明図である。
【図４】同カメラ付き警棒の機構概要を示す配置図である。
【図５】同カメラ付き警棒の仕様概要を示す配置図である。
【図６】本発明に係るカメラ付き警棒の第２実施例を示す説明図である。
【図７】同カメラ付き警棒を延ばした状態を示す説明図である。
【図８】同カメラ付き警棒の主要部を示す説明図である。
【図９】同カメラ付き警棒を縮めた状態を示す平面図である。
【図１０】同カメラ付き警棒の主要部を示す説明図である。
【図１１】同カメラ付き警棒の主要部を開蓋した状態を示す説明図である。
【図１２】同カメラ付き警棒の機構概要を示す平面図である。
【図１３】同カメラ付き警棒の機構概要を示す側面図である。
【符号の説明】
【００４９】  １  警棒本体
１ａ  打撃棒
１ｂ  握柄部
１ｃ  鍔部
２  カメラ部
２ａ  記録媒体
２ｂ  ＬＣＤ
２ｃ  バッテリー
２ｄ  カメラレンズ
２ｅ  メイン基板
２ｆ  ビデオドライバー
２ｇ  ＡＧＣ
２ｈ  ＪＰＥＧ
２ｉ  ディスクドライブ（ＭＤ挿入口）
２ｊ  ロック蓋
３  スピーカー
４  マイク
５  シャッターボタン
６  ロック手段
７  発信手段
【図１】
2008304173.tif 000003
【図２】
2008304173.tif 000004
【図３】
2008304173.tif 000005
【図４】
2008304173.tif 000006
【図５】
2008304173.tif 000007
【図６】
2008304173.tif 000008
【図７】
2008304173.tif 000009
【図８】
2008304173.tif 000010
【図９】
2008304173.tif 000011
【図１０】
2008304173.tif 000012
【図１１】
2008304173.tif 000013
【図１２】
2008304173.tif 000014
【図１３】
2008304173.tif 000015